【手続補正書】
【提出日】平成17年9月2日(2005.9.2)
【手続補正１】
【補正対象書類名】明細書
【補正対象項目名】発明の名称
【補正方法】変更
【補正の内容】
【発明の名称】フォーカスバイアス設定装置、光学記録媒体駆動装置、フォーカスバイアス設定方法
【手続補正２】
【補正対象書類名】明細書
【補正対象項目名】特許請求の範囲
【補正方法】変更
【補正の内容】
【特許請求の範囲】
【請求項１】  収束させたレーザ光を光学記録媒体に対して照射することで記録再生を行うことのできる記録再生装置に備えられ、上記収束させたレーザ光の焦点位置についてオフセットを与えるためのフォーカスバイアスを設定するためのフォーカスバイアス設定装置として、
フォーカスバイアスを可変設定しながら上記光学記録媒体にデータ記録を行うという試行記録を実行する試行記録手段と、
上記試行記録により記録された記録データを光学記録媒体から読み出すデータ読み出し手段と、
上記データ読み出し手段により読み出された記録データについての所定の信号特性を測定し、この測定結果を上記試行記録時に設定されていたフォーカスバイアスと対応させてサンプル情報として得るサンプル手段と、
上記サンプル手段により得られたサンプル情報に基づいて、最適とされるフォーカスバイアスを設定するフォーカスバイアス設定手段と、
を備えていることを特徴とするフォーカスバイアス設定装置。
【請求項２】  上記フォーカスバイアス設定手段は、
上記サンプル情報に基づいて、上記所定の信号特性が最良であるとされた記録データに対応して上記試行記録時に設定されていたフォーカスバイアスを特定することで、最適とされるフォーカスバイアスを設定するように構成されていることを特徴とする請求項１に記載のフォーカスバイアス設定装置。
【請求項３】  上記フォーカスバイアス設定手段は、
上記サンプル情報に基づいて、上記所定の信号特性の変化率が最小であるとされた記録データに対応して上記試行記録時に設定されていたフォーカスバイアスを特定することで、最適とされるフォーカスバイアスを設定するように構成されていることを特徴とする請求項１に記載のフォーカスバイアス設定装置。
【請求項４】  上記フォーカスバイアス設定手段は、
上記サンプル情報に基づいて、上記所定の信号特性が予め設定した所定値に近く、かつ、測定された上記所定の信号特性の極値とされる測定点を挟む、２つの測定点において得られたサンプル情報としてのフォーカスバイアスを利用して平均値を算出し、この算出された平均値を最適とされるフォーカスバイアスとして設定することを特徴とする請求項１に記載のフォーカスバイアス設定装置。
【請求項５】  上記フォーカスバイアス設定手段は、
上記サンプル情報に基づいて、上記所定の信号特性が予め設定した所定値に近く、かつ、測定された上記所定の信号特性の極値とされる測定点を挟む、２つの測定点において得られたサンプル情報を利用してフォーカスバイアスについての相加平均値を算出し、この算出された相加平均値を最適とされるフォーカスバイアスとして設定することを特徴とする請求項１に記載のフォーカスバイアス設定装置。
【請求項６】  上記フォーカスバイアス設定手段は、
上記サンプル情報に基づいて、信号特性としての極値に対応するとされるフォーカスバイアスを求めるための所要の数値演算処理を行い、この演算結果により得られた値を最適とされるフォーカスバイアスとして設定することを特徴とする請求項１に記載のフォーカスバイアス設定装置。
【請求項７】  上記フォーカスバイアス設定手段は、
上記所定の信号特性として信号変調度を測定するように構成されていることを特徴とする請求項１に記載のフォーカスバイアス設定装置。
【請求項８】  上記フォーカスバイアス設定手段は、
上記所定の信号特性としてジッターの変化量を測定するように構成されていることを特徴とする請求項１に記載のフォーカスバイアス設定装置。
【請求項９】  上記試行記録手段は、
フォーカスバイアスを可変設定しながら上記光学記録媒体にデータ記録を行う際、上記光学記録媒体の同一の所定領域に対してデータ記録を行うように構成されていることを特徴とする請求項１に記載のフォーカスバイアス設定装置。
【請求項１０】  収束させたレーザ光を光学記録媒体に対して照射することで記録再生を行うことができ、上記収束させたレーザ光の焦点位置についてオフセットを与えるためのフォーカスバイアスを設定するためのフォーカスバイアスを行うようにされた記録媒体駆動装置として、
フォーカスバイアスを可変設定しながら上記光学記録媒体にデータ記録を行うという試行記録を実行する試行記録手段と、
上記試行記録により記録された記録データを光学記録媒体から読み出すデータ読み出し手段と、
上記データ読み出し手段により読み出された記録データについての所定の信号特性を測定し、この測定結果を上記試行記録時に設定されていたフォーカスバイアスと対応させてサンプル情報として得るサンプル手段と、
上記サンプル手段により得られたサンプル情報に基づいて、最適とされるフォーカスバイアスを設定するフォーカスバイアス設定手段と、
を備えていることを特徴とする光学記録媒体駆動装置。
【請求項１１】  収束させたレーザ光を光学記録媒体に対して照射することで記録再生を行うことのできる記録再生装置において行われるもので、上記収束させたレーザ光の焦点位置についてオフセットを与えるためのフォーカスバイアスを設定するためのフォーカスバイアス設定方法として、
フォーカスバイアスを可変設定しながら上記光学記録媒体にデータ記録を行うという試行記録を実行する試行記録手順と、
上記試行記録により記録された記録データを光学記録媒体から読み出すデータ読み出し手順と、
上記データ読み出し手順により読み出された記録データについての所定の信号特性を測定し、この測定結果を上記試行記録時に設定されていたフォーカスバイアスと対応させてサンプル情報として得るサンプル手順と、
上記サンプル手順により得られたサンプル情報に基づいて、最適とされるフォーカスバイアスを設定するフォーカスバイアス設定手順と、
を実行することを特徴とするフォーカスバイアス設定方法。
【手続補正３】
【補正対象書類名】明細書
【補正対象項目名】０００１
【補正方法】変更
【補正の内容】
【０００１】
【発明の属する技術分野】
本発明は、例えば光学記録媒体に対応して記録又は再生を行うために収束したレーザ光を照射する際、この収束されるレーザ光の焦点位置に対してオフセットを与えるためのフォーカスバイアスとして、最適とされるフォーカスバイアスを設定するためのフォーカスバイアス設定装置、光学記録媒体駆動装置、フォーカスバイアス設定方法に関するものである。
【手続補正４】
【補正対象書類名】明細書
【補正対象項目名】００１１
【補正方法】変更
【補正の内容】
【００１１】
【課題を解決するための手段】
そこで本発明は上記した課題を考慮して、収束させたレーザ光を光学記録媒体に対して照射することで記録再生を行うことのできる記録再生装置に備えられ、上記収束させたレーザ光の焦点位置についてオフセットを与えるためのフォーカスバイアスを設定するためのフォーカスバイアス設定装置として、フォーカスバイアスを可変設定しながら光学記録媒体にデータ記録を行うという試行記録を実行する試行記録手段と、この試行記録により記録された記録データを光学記録媒体から読み出すデータ読み出し手段と、このデータ読み出し手段により読み出された記録データについての所定の信号特性を測定し、この測定結果を上記試行記録時に設定されていたフォーカスバイアスと対応させてサンプル情報として得るサンプル手段と、このサンプル手段により得られたサンプル情報に基づいて、最適とされるフォーカスバイアスを設定するフォーカスバイアス設定手段とを備えて構成することとした。
また、収束させたレーザ光を光学記録媒体に対して照射することで記録再生を行うことができ、上記収束させたレーザ光の焦点位置についてオフセットを与えるためのフォーカスバイアスを設定するためのフォーカスバイアスを行うようにされた記録媒体駆動装置として、フォーカスバイアスを可変設定しながら光学記録媒体にデータ記録を行うという試行記録を実行する試行記録手段と、試行記録により記録された記録データを光学記録媒体から読み出すデータ読み出し手段と、データ読み出し手段により読み出された記録データについての所定の信号特性を測定し、この測定結果を上記試行記録時に設定されていたフォーカスバイアスと対応させてサンプル情報として得るサンプル手段と、サンプル手段により得られたサンプル情報に基づいて、最適とされるフォーカスバイアスを設定するフォーカスバイアス設定手段とを備えて構成することとした。
また、収束させたレーザ光を光学記録媒体に対して照射することで記録再生を行うことのできる記録再生装置において行われるもので、上記収束させたレーザ光の焦点位置についてオフセットを与えるためのフォーカスバイアスを設定するためのフォーカスバイアス設定方法として、フォーカスバイアスを可変設定しながら光学記録媒体にデータ記録を行うという試行記録を実行する試行記録手順と、試行記録により記録された記録データを光学記録媒体から読み出すデータ読み出し手順と、データ読み出し手順により読み出された記録データについての所定の信号特性を測定し、この測定結果を試行記録時に設定されていたフォーカスバイアスと対応させてサンプル情報として得るサンプル手順と、サンプル手順により得られたサンプル情報に基づいて、最適とされるフォーカスバイアスを設定するフォーカスバイアス設定手順とを実行するように構成することとした。